(57)【特許請求の範囲】
【請求項１】
固定盤と、該固定盤の上方に位置していて下面に可動側金型を保持する可動盤と、前記固定盤に回転可能に支持されていて上面に固定側金型を載置させるテーブルと、前記テーブルを回転させる駆動手段とを備え、前記テーブルに保持した固定側金型を前記テーブルの回転によって所定の射出成形位置に搬送する射出成形機のテーブル回転装置において、
前記テーブルに巻きかけられた位置検出用ベルトと、該位置検出用ベルトの回転位置を検出して所定の位置で前記テーブルを停止するための位置検出手段と、を有する第１停止機構と、
前記テーブルが第１停止機構によって正規停止位置に停止せずに回転を続けた場合に、前記テーブルの内側に設けた当接部材が前記固定盤上に固定させたストッパに当接させて機械的に停止させる第２停止機構と、
を備え
前記当接部材は前記テーブルに一体形成されたブロック形状をなし、その長手方向を前記テーブルの回転方向に向けて配置されていることを特徴とする射出成形機のテーブル回転装置。
【発明の詳細な説明】
【技術分野】
【０００１】
本発明は、固定側金型を保持したテーブルを回転させて固定側金型を、射出成形を行う成形位置に搬送させるための射出成形機のテーブル回転装置に関する。
【背景技術】
【０００２】
従来、複雑な形状の成形品を大量に能率よく生産できることから射出成形法が用いられ、この射出成形には、省スペースで且つ自動化を容易に行なえるなどの利点から金型の開閉を上下方向に行う竪型射出成形機が多用されている。一般に、この種の竪型射出成形機は、型締機構で固定盤に対して可動盤を上下動させて金型の開閉、型締め動作を行なうようにした型締装置と、フィード機構により可動盤に対して上下動可能に設けられた射出装置とを備えている。
【０００３】
型締装置は、マシンボディの上端側に固定して設けられた固定盤と、固定側金型が載置されるとともに、固定盤に回転可能に支持されていて回転して固定側金型を所定の射出成形位置に搬送する円形のテーブルと、テーブルの上方に配置されていて固定盤に対して上下動可能に設けられ、保持した可動側金型を固定側金型に係合させて型締めを行なう可動盤とを備えて構成されている。さらに、型締装置は、固定盤の下方に設けられたエンドプレートと、固定盤に上下動可能に貫通して設けられていて上端が可動盤に及び下端がエンドプレートに固定されたタイバーと、ねじ軸に繋がっていてこのねじ軸の回転によって上下動するクロスヘッドを介してエンドプレート、ひいてはタイバーを介して可動盤を固定盤に対して上下動させるためのトグル機構とを備えた構造となっている。
【０００４】
また、この種の竪型射出成形機には、テーブルを回転させるテーブル回転装置として、例えば、プーリ（駆動プーリ）を回転させるサーボモータ（駆動手段）と、一端及び他端がテーブルの外周面に固定されてテーブル外周面及びプーリに巻き回されたタイミングベルトとを備えたテーブル回転装置がある。このテーブル回転装置は、タイミングベルトをその歯と噛合する歯を表面に形成した板を介してテーブル側面に固定し、また駆動プーリの歯に噛合し、サーボモータの駆動により駆動プーリを介してタイミングベルトが回動してテーブルを回転させるものである。
そして、テーブルの回転を所定の位置で停止させるためのテーブル回転装置のストッパ機構が、例えば特許文献１、２に開示されている。このストッパ機構は、テーブル本体の内側に位置決めブロックを取り付けて、そのブロックを固定盤上に固定させた固定側ストッパに機械的に当接させて停止させる構造となっている。
【特許文献１】特開２０００−２９６５３２号公報
【特許文献２】特開平５−８２４６号公報
【発明の開示】
【発明が解決しようとする課題】
【０００５】
しかしながら、従来の射出成形機のテーブル回転装置では、以下のような問題があった。
すなわち、特許文献１、２では、位置決めブロックと固定側ストッパとの当接動作が射出成形時において繰り返して行われることから、ブロックが破損する頻度が増加するという欠点があった。とくにテーブルを高速回転させる場合や大型及び大重量の金型をテーブルに保持する場合には、ブロックとストッパとの当接による衝撃荷重が大きくなることから、さらにブロックの破損頻度がより高くなるおそれがあった。
【０００６】
また、テーブル回転装置は、駆動モータの動力をタイミングベルト（以下、単に「ベルト」とする）を介して伝達しているが、ベルトの両端部を固定板に固定させ、この固定板をテーブル側面にボルト等で固定することでテーブルと一体とした構造であるので、テーブルは一方向に何周も回転することができない構成となっている。そのため、ブロックが破損してストッパ機能を果たさなくなり、テーブルが停止せずにオーバーランすると、ベルト自体が破損したり、ベルトの固定板が破損したり、固定板の取付部が破損するという問題があった。
さらに、ブロックを固定盤上のストッパに当接させた位置が成形時におけるテーブル回転停止位置となるため、ブロックとストッパとが精度よく取り付けられている必要がある。そのため、破損したブロックやストッパを交換、修理する場合には、テーブル或いは固定盤に対する取り付け位置を微調整する作業が必要となり、多大な労力と時間を要するという問題があることから、その点で改良の余地があった。
【０００７】
本発明は、上述する問題点に鑑みてなされたもので、テーブルのオーバーランによって生じるテーブル回転装置の破損を少なくすることが可能な射出成形機のテーブル回転装置を提供することを目的とする。
また、本発明のほかの目的は、破損部品の交換、修理にかかる作業効率を向上させることができる射出成形機のテーブル回転装置を提供することである。
【課題を解決するための手段】
【０００８】
上記目的を達成するため、本発明に係る射出成形機のテーブル回転装置では、固定盤と、固定盤の上方に位置していて下面に可動側金型を保持する可動盤と、固定盤に回転可能に支持されていて上面に固定側金型を載置させるテーブルと、テーブルを回転させる駆動手段とを備え、テーブルに保持した固定側金型をテーブルの回転によって所定の射出成形位置に搬送する射出成形機のテーブル回転装置において、
前記テーブルに巻きかけられた位置検出用ベルトと、該位置検出用ベルトの回転位置を検出して所定の位置で前記テーブルを停止するための位置検出手段と、を有する第１停止機構と、前記テーブルが第１停止機構によって正規停止位置に停止せずに回転を続けた場合に、前記テーブルの内側に設けた当接部材を前記固定盤上に固定させたストッパに当接させて機械的に停止させる第２停止機構と、を備え、前記当接部材は前記テーブルに一体形成されたブロック形状をなし、その長手方向を前記テーブルの回転方向に向けて配置されていることを特徴としている。
【０００９】
本発明では、射出成形機で成形品を製造する際にテーブルを回転させる場合に、第１停止機構の位置検出手段によってテーブルの回転位置を検出し、その検出値に基づいてテーブルを正確に回転させることができるので、所定の位置に精度よく停止させることができる。そして、例えば駆動手段の動力をテーブルに伝達させるための伝動機構や第１停止機構の制御不能などの不具合によってテーブルがオーバーランした場合には、第２停止機構によって当接部材がストッパに当接することでテーブルを機械的に停止させることができる。このように二段階の停止機構（第１停止機構及び第２停止機構）を備えることで、テーブルのオーバーランを防止することができ、オーバーランによって生じるテーブル回転装置の破損を少なくすることが可能となる。
また、射出成形時には、テーブルの回転を第１停止機構の位置検出手段によって所定の位置に停止させ、上述したような不具合により第１停止機構でテーブルの回転が停止しない場合にのみ、第２停止機構を使用してテーブルの回転を停止させる構造であるので、当接による第２停止機構の破損頻度を低減させることができる。しかも、第２停止機構がオーバーラン防止用の機能を持たせたものであることから、当接部材及びストッパをそれぞれテーブル及び固定盤に高い精度をもって取り付ける必要がなく、これらの部材に対して精密な加工を施すことを不要にすることができる。
【００１０】
また、本発明に係る射出成形機のテーブル回転装置では、当接部材はブロック形状をなし、その長手方向をテーブルの回転方向に向けて配置されていることを特徴としている。
本発明では、当接部材がテーブルの回転方向に長い形状となっているので、当接部材の剛性をストッパより大きくした構造にすることができ、例えば大きな衝撃で当接部材とストッパとが当接した場合に、テーブルの内側に固定されている当接部材と比べて交換或いは修理が容易かつ効率的に行える固定盤側のストッパが先に破損するような構造にすることができる。
【００１１】
また、本発明に係る射出成形機のテーブル回転装置では、当接部材はテーブルに一体形成されていることを特徴とする。
本発明では、当接部材の固定強度が高められるので、例えば大きな衝撃で当接部材とストッパとが当接した場合に、交換或いは修理が容易な固定盤側のストッパを先に破損させることができる。
【発明の効果】
【００１２】
本発明による射出成形機のテーブル回転装置によれば、テーブルの回転が第１停止機構で停止しない場合であっても、第２停止機構によってテーブルの回転を停止させることができ、オーバーランを防ぐことができる。そのため、オーバーランによって生じるテーブル回転装置の破損を少なくすることができる。
また、本発明による射出成形機のテーブル回転装置によれば、第１停止機構でテーブルの回転が停止しない場合にのみ、第２停止機構を使用してテーブルの回転を停止させる構造であるので、当接による第２停止機構の破損頻度を低減させることができるうえ、第２停止機構の当接部材及びストッパを高精度な位置決め作業を行って取り付ける必要がないことから、破損部品の交換、修理にかかる作業効率の向上を図ることができる。
【発明を実施するための最良の形態】
【００１３】
以下、本発明の射出成形機のテーブル回転装置の実施の形態について、図１乃至図５に基づいて説明する。
図１は本発明の実施の形態による竪型射出成形機のテーブル回転装置を備えた型締装置の概略構成を示す図、図２はテーブル回転装置の第２停止機構を示す一部破断平面図、図３は図２に示す第２停止機構のＡ−Ａ線断面図、図４は図２に示す第２停止機構のＢ−Ｂ線矢視図、図５は図２に示す当接部材とストッパとを示す拡大図である。
【００１４】
図１及び図２における符号１は、本実施の形態による射出成形機のテーブル回転装置を示している。本実施の形態は、正確にロータリーテーブル（以下、テーブル３とする）を位置決めして停止するとともに、オーバーランした場合にもテーブル３の回転を停止することができるテーブル回転装置１に関するものである。
竪型射出成形機Ａは、固定盤に対して可動盤を上下動させて金型の開閉、型締め動作を行なうようにした型締装置Ｔと、フィード機構により可動盤に対して上下動可能に設けられた射出装置（図示省略）とを備えた周知の構造をなしている。なお、射出装置における構成その他の詳しい説明については省略する。
ここで、図１は、竪型射出成形機Ａの型締時の状態と、型開き時の状態を部分的に混在して示したものであり、中心線（竪型射出成形機Ａの軸線Ｏ１）を境に、主に左側に型締時の状態を、右側に型開き時の状態を示している。
【００１５】
図１に示すように、型締装置Ｔは、マシンボディＴａに固定された固定盤２と、固定側金型Ｋ１が載置されるとともに、固定盤２に回転可能に支持されていて回転して固定側金型Ｋ１を所定の射出成形位置に搬送する円形のテーブル３と、テーブル３の上方に配置されていて固定盤２に対して近接離反するように上下動可能に設けられ、保持した可動側金型Ｋ２を固定側金型Ｋ１に対して開閉させて型締めを行なう可動盤４と、テーブル３を回転させるテーブル回転装置１とを備えて構成されている。
【００１６】
さらに、型締装置Ｔは、上端側が固定盤２に軸線回りに回転可能に支持されたボールねじ軸（以下、「ねじ軸５」とする）と、固定盤２の下方に設けられたエンドプレート６と、固定盤２に上下動可能に貫通して設けられていて上端が可動盤４に及び下端がエンドプレート６に固定されたタイバー７と、ねじ軸５に繋がっていてねじ軸５の回転によって上下動するクロスヘッド８を介してエンドプレート６を固定盤２に対して上下動させ、タイバー７を介して可動盤４を上下動させるためのトグル機構９とを備えている。
【００１７】
固定盤２は、略平盤状をなし、その面を竪型射出成形機Ａの上下方向（垂直方向）に延びる軸線Ｏ１に直交する水平方向に向けた状態で配置されている。固定盤２には、竪型射出成形機Ａの軸線Ｏ１上に配置されるタイバー７（図１では、ねじ軸５の位置に相当）の外周に配置される円筒上の軸回りに回転可能に支持する軸受（図示省略）が設けられ、その軸受にテーブル３が取り付けられている。また、固定盤２には、ハウジングを介して軸受２ａが収容されており、その軸受２ａに竪型射出成形機Ａの軸線Ｏ１と同軸上に配した状態で下方に延びるねじ軸５の上端側を挿通させ、軸受２ａによってその軸線回りに回転可能に支持されている。
【００１８】
テーブル３は、円板状に形成されており、固定盤２上に上下方向に延びる中心軸Ｏ２（竪型射出成形機Ａの軸線Ｏ１）回りに回転可能に設けられて上面側に保持した固定側金型Ｋ１を所定の位置に配置するためのものである。また、テーブル３は、固定盤２の一部の上面を覆うように設けられている。さらに、このテーブル３には、上面側に、一対の金型Ｋ１、Ｋ２のうち固定側金型Ｋ１を保持する図示せぬ複数のボルト締結孔やガイド部などからなる金型保持部が形成されている。そして、テーブル３の外周面３ａには、ベルト固定用板を取り付けるための平面が形成され、その平面上にボルト締結孔が設けられている。
【００１９】
可動盤４は、略平盤状に形成されており、固定盤２と平行するように設けられ、固定盤２に対して近接離反するように上下動可能に設けられ、保持した可動側金型Ｋ２を固定側金型Ｋ１に対して開閉させて型締めを行なうように構成されている。
そして、このように構成した可動盤４は、上下方向（垂直方向）に延設した３本のタイバー７の上端によって支持されている。
【００２０】
ねじ軸５は、固定盤２から鉛直下方向に延ばして設けられ、上端が固定盤２に、下端が可動盤４と平行に設けられたエンドプレート６にそれぞれ回転自在に軸受けされたものである。ねじ軸５の中間部には、クロスヘッド８のボールナット８１を螺合させるねじ部５１が設けられている。
【００２１】
タイバー７は、本実施の形態では３本（図１では符号７Ａ、７Ｂが示され、竪型射出成形機Ａの軸線Ｏ１上に配置されるタイバーは図示が省略されている）設けられ、上述したようにそれぞれの上端が可動盤４に固定され、下端がエンドプレート６に固定されている。すなわち、可動盤４とエンドプレート６とはタイバー７によって一体に結合され、固定盤２に対して上下に移動自在となっている。
そして、３本のタイバー７のうち、１本のタイバー７（図１では、ねじ軸５の位置に相当）は、上述したようにその中心線をテーブル３の回転中心軸と同軸上に配するように設けられ、固定盤２及びテーブル３を貫通して上下動可能に設けられている。一方、残りの２本のタイバー７（７Ａ、７Ｂ）は、テーブル３の外縁よりも僅かに外側にそれぞれ配置され、固定盤２を貫通して上下動可能に設けられている。
【００２２】
クロスヘッド８は、固定盤２とエンドプレート６との間において中心部にねじ軸５に螺合するボールナット８１を備え、ねじ軸５の中心軸回りの回転運動により鉛直方向に上下移動することで、トグル機構９の原動節を構成する部材である。
つまり、トグル機構９は、サーボモータ等の電動機５２の駆動によって無端状の伝動ベルト５３を備えた伝動機構を介してねじ軸５がその軸線回りに正逆回転すると、ねじ軸５に螺合したボールナット８１に繋がるクロスヘッド８が上下動し、一体に繋がる可動盤４と３本のタイバー７とエンドプレート６とを上下動させて、可動盤４及びテーブル３に保持した一対の金型Ｋ１、Ｋ２を型締めしたり、型開きするための機構となっている。
【００２３】
次に、テーブル回転装置１の構成について詳細に説明する。
図１に示すように、テーブル回転装置１は、例えばサーボモータなどの駆動モータ１１と、この駆動モータ１１の回転軸に取り付けられた駆動プーリ１２と、アイドラプーリ１３と、一端と他端がテーブル３の外周面３ａに、周方向に間隔をあけて固定部材１４によって着脱可能に固定されたテーブル駆動用のタイミングベルト１５とを備えて構成されている。
【００２４】
また、タイミングベルト１５は、テーブル３の外周面３ａに巻き掛けられるとともに、駆動プーリ１２及びアイドラプーリ１３に巻き掛けられている。さらに、タイミングベルト１５は、外側を向く一面に歯が形成されており、テーブル３の外周面３ａに形成された平面にベルト押さえ板（図示省略）を介して固定され、また、アイドラプーリ１３で屈曲して駆動プーリ１２の歯に噛合させた状態で張設されている。そして、駆動モータ１１の駆動により駆動プーリ１２が回転するとタイミングベルト１５が回動して、テーブル３が回転し、固定型金型Ｋ１が所定の位置に搬送される。
【００２５】
さらに、テーブル回転装置１には、テーブル３の回転位置を検出して、所定の位置でテーブル３を停止するための第１停止機構１０と、テーブル３の回転時におけるオーバーラン防止用の第２停止機構２０（図２参照）とを備えている。
図１に示すように、第１停止機構１０は、タイミングベルト１５と平行に、テーブル３の外周面３ａに巻き掛けられた位置検出用ベルト１６と、位置検出用プーリ１７ａに位置検出用ベルト１６が巻き掛けられたエンコーダ１７（位置検出手段）とからなる。このエンコーダ１７は、その回転軸の回転角度を検出してそれに応じた信号を発生するものであり、その信号を基にテーブル３の回転速度や位置を後述する制御手段１９によって制御させるものである。
【００２６】
位置検出用ベルト１６は、テーブル３側を向く面に歯が形成されており、テーブル３の外周面３ａに形成された平面にベルト押さえ板（図示省略）を介して固定され、また、位置検出用プーリ１７ａの歯と噛合して張設されている。
そして、このような位置検出用ベルト１６は、テーブル３の回転に従動して回動し、位置検出用プーリ１７ａとともにエンコーダ１７の回転軸を回転させる。このとき、エンコーダ１７は、回転軸の回転からテーブル３の回転速度や位置を検出する。
【００２７】
さらに、テーブル回転装置１には、エンコーダ１７及び駆動モータ１１にそれぞれ繋がる制御手段１９が設けられている。この制御手段１９は、エンコーダ１７が検出した結果を受けるとともに、この検出結果に基づいて駆動モータ１１の駆動、ひいてはテーブル３の回転速度や停止位置を制御するためのものである。
【００２８】
つまり、第１停止機構１０では、駆動モータ１１によって回転されたテーブル３がこのエンコーダ１７を回転させ、このエンコーダ１７によってテーブル３の回転位置を検出することができる構成となっている。したがって、エンコーダ１７で検出した情報をフィードバックして、テーブル３の回転角度を算出し、駆動モータ１１によってテーブル３を所定の停止位置で停止させる制御を行うテーブル回転の停止機構である。
【００２９】
図２乃至図５に示すように、第２停止機構２０は、テーブル３の内側に設けたブロック形状の当接部材２１と、固定盤２の上面に固定させたストッパ２２（２２Ａ、２２Ｂ）とを有している。当接部材２１は、その長手方向がテーブル３の回転方向に向けて配置され、テーブル３の内面外周壁３ｂと下面３ｃに接合した状態で一体形成され、テーブル３に対する固定強度が高められた構造となっている。なお、当接部材２１は、例えば平面視で長手方向の長さ寸法が５０ｍｍであり、短手方向の長さ寸法（幅寸法）が２５ｍｍとなる形状をなしている。このように、当接部材２１は、テーブル３の回転方向に長い形状となっているので、当接部材２１の剛性をストッパ２２より大きくした構造にすることができる。
つまり、例えば大きな衝撃で当接部材２１とストッパ２２とが当接した場合に、テーブル３の内側に固定されている当接部材２１と比べて交換或いは修理が容易に行える固定盤側のストッパ２２が、当接部材２１より先に破損するような構造とすることができる。
【００３０】
ストッパ２２Ａ、２２Ｂは、円柱状の鋼材からなり、固定盤２の上面であって、当接部材２１がテーブル３とともに回転移動する軌跡上の所定の二箇所に溶接等の固着手段によって固定されている。つまり、ストッパ２２Ａ、２２Ｂは、一方（符号２２Ａ）が正回転時（図２の矢印Ｅ１方向）のテーブル３の回転を停止させる位置に設けられ、他方（符号２２Ｂ）が逆回転時（図２の矢印Ｅ２方向）のテーブル３の回転を停止させる位置に設けられている。
【００３１】
そして、当接部材２１とストッパ２２Ａ、２２Ｂの取り付け位置は、第１停止機構１０によってテーブル３が停止する位置よりも回転方向で進行側に回転して、当接部材２１がストッパ２２に当接する所定位置とされる。
つまり、第２停止機構２０は、テーブル３が第１停止機構１０によって正規の停止位置で停止せずに回転を続けた場合に、当接部材２１とストッパ２２とが当接してテーブル３が機械的に停止するように構成されている。
【００３２】
次に、上記の構成からなるテーブル回転装置１の作用及び効果について説明する。
図１に示すように、まず、本実施の形態の竪型射出成形機Ａを用いて成形品を製造する際には、トグル機構９によって可動盤４を上方に配した状態で、テーブル３に固定側金型Ｋ１を載置しつつ保持させる。そして、テーブル回転装置１の駆動モータ１１を駆動して駆動プーリ１２を回転させ、タイミングベルト１５を一方向に回動させるとともに、固定型金型Ｋ１が射出成形を行なう所定の位置に配されるように、すなわち可動盤４に保持した可動側金型Ｋ２の直下に配されるようにテーブル３を回転させる。
【００３３】
このとき、テーブル３に巻き掛けられている位置検出用ベルト１６がテーブル３の回転に従動して回動し、エンコーダ１７によって位置検出用ベルト１６の回動状態（回動速度や位置）を検出し、その検出値に基づいて制御手段１９によってテーブル３の正確な回転位置が検出される。
そして、位置検出用プーリ１７ａが所定の回転量で回転した段階で、制御手段１９によって駆動モータ１１の駆動を停止させ、テーブル３を所定の位置に精度よく停止させることができる。これにより、固定側金型Ｋ１が所定の位置に精度よく配された状態となり、固定側金型Ｋ１を確実に所定の射出成形位置に搬送することができる。
【００３４】
次に、上述した第１停止機構１０によりテーブル３が所定の位置で停止しない場合の作用について説明する。
図２に示すように、例えばノイズ等で制御不能となる場合、回転中にタイミングベルト１５が切断して動力伝達不能となる場合、駆動モータ１１が故障した場合、エンコーダ１７の故障や位置検出用ベルト１６の切断によって位置検出が不能となる場合など、第１停止機構１０でテーブル３が所定位置で停止せずにオーバーランした場合には、第２停止機構２０の当接部材２１がストッパ２２に当接することでテーブル３が機械的に停止されることになる。
【００３５】
このように、本テーブル回転装置１では、二段階の停止機構１０、２０を備えることで、テーブル３のオーバーランを防止することができる。
また、射出成形時には、テーブル３の回転を第１停止機構１０のエンコーダ１７によって所定の位置に停止させ、第１停止機構１０でテーブル３の回転が停止しない場合にのみ、第２停止機構２０を使用してテーブル３の回転を停止させる構造であるので、当接による第２停止機構２０の当接部材２１やストッパ２２の破損頻度を低減させることができる。しかも、第２停止機構２０がオーバーラン防止用の機能を持たせたものであることから、当接部材２１及びストッパ２２をそれぞれテーブル３及び固定盤２に高い精度をもって取り付ける必要がなく、これらの部材に対して精密な加工を施すことを不要にすることができる。
【００３６】
上述のように本実施の形態による射出成形機のテーブル回転装置では、テーブル３の回転が第１停止機構１０で停止しない場合であっても、第２停止機構２０によってテーブル３の回転を停止させることができ、オーバーランを防ぐことができる。そのため、オーバーランによって生じるテーブル回転装置１の破損を少なくすることができる。
また、本実施の形態による射出成形機のテーブル回転装置では、第１停止機構１０でテーブル３の回転が停止しない場合にのみ、第２停止機構２０を使用してテーブル３の回転を停止させる構造であるので、当接による第２停止機構２０の破損頻度を低減させることができるうえ、第２停止機構２０の当接部材２１及びストッパ２２を高精度な位置決め作業を行って取り付ける必要がないことから、破損部品の交換、修理にかかる作業効率の向上を図ることができる。
【００３７】
以上、本発明による射出成形機のテーブル回転装置の実施の形態について説明したが、本発明は上記の実施の形態に限定されるものではなく、その趣旨を逸脱しない範囲で適宜変更可能である。
例えば、本実施の形態では第２停止機構２０の当接部材２１をテーブル３の内面外周壁３ｂと下面３ｃに対して一体形成とした構造となっているが、固定位置はテーブル３の内側であればとくに制限されることはなく、例えばテーブル３の下面３ｃのみ、或いは内面外周壁３ｂのみに固定させる構造であってもよく、また当接部材２１がテーブル３に対して別体とし、例えば溶接等の固着手段によって一体化させる構造であってもかまわない。
また、第２停止機構２０の当接部材２１、ストッパ２２の形状、大きさ等はとくに制限されることはなく、テーブル３の回転速度、固定側金型Ｋ１の重量、大きさ等の条件に応じて任意に設定することができる。例えば、ストッパ２２は、固定盤２に雌ねじを形成させ、その雌ねじに螺合するピン状のボルト部材であってもよい。
【００３８】
また、第１停止機構１０については、本実施の形態の構成であることに限定されることはない。例えば、位置検出手段としてエンコーダ１７を採用しているが、このような形態に限定されることはなく、例えば小型のエンコーダ付サーボモータであってもよく、また、エンコーダ等の位置検出用プーリ１７ａを備えることなく、回転軸に位置検出用ベルト１６の歯と噛合する歯を形成して直接位置検出用ベルト１６が回転軸に巻き掛けられてもよい。さらには、第２停止機構２０のストッパ２２の回転方向で手前の位置に第２のストッパを設けるようにした第１停止機構であってもよい。
【００３９】
さらにまた、本実施の形態では、竪型射出成形機Ａを適応対象としているが、本発明のテーブル回転装置１は、一対の金型Ｋ１、Ｋ２を水平方向に相対移動させて型締めや型開きを行う横型射出成形機に適用させてもかまわない。
【図面の簡単な説明】
【００４０】
【図１】本発明の実施の形態による竪型射出成形機のテーブル回転装置を備えた型締装置の概略構成を示す図である。
【図２】テーブル回転装置の第２停止機構を示す一部破断平面図である。
【図３】図２に示す第２停止機構のＡ−Ａ線断面図である。
【図４】図２に示す第２停止機構のＢ−Ｂ線矢視図である。
【図５】図２に示す当接部材とストッパとを示す拡大図である。
【符号の説明】
【００４１】
１  テーブル回転装置
２  固定盤
３  テーブル
４  可動盤
１０  第１停止機構
１１  駆動モータ
１５  タイミングベルト
１６  位置検出用ベルト
１７  エンコーダ（位置検出手段）
１７ａ  位置検出用プーリ
２０  第２停止機構
２１  当接部材
２２、２２Ａ、２２Ｂ  ストッパ
Ａ  竪型射出成形機（射出成形機）
Ｔ  型締装置
【図１】
0005126667.tif 000002
【図２】
0005126667.tif 000003
【図３】
0005126667.tif 000004
【図４】
0005126667.tif 000005
【図５】
0005126667.tif 000006